(57)【要約】      （修正有）【課題】収容した除菌対象物を短時間のうちに確実に除菌でき、かつ比較的安価な紫外線除菌装置を提供する。【解決手段】除菌対象物を筐体８内に収納し、筐体内に設置した紫外線ランプによって紫外線を照射して除菌対象物を除菌する紫外線除菌装置であって、筐体の側面３の一面に除菌対象物を搬入・搬出するための入口扉６を設置し、入口扉を含んだ側面４面の内面すべてに各々１個以上の紫外線ランプを垂直設置した。【選択図】図１
0003232759.tif 000002
【実用新案登録請求の範囲】
【請求項１】
除菌対象物を直方体状の筐体内に収納し、同筐体内に設置した紫外線ランプによって紫外線を照射して同除菌対象物を除菌する紫外線除菌装置であって、
前記筐体の側面の一面に前記除菌対象物を搬入・搬出するための入口扉を設置し、
前記入口扉を含んだ側面４面の内面すべてに各々１個以上の紫外線ランプを垂直設置したことを特徴とする、
紫外線除菌装置。
【請求項２】
前記直方体状の筐体は骨格を金属のフレームで構成し、側面４面を厚さ３ｍｍ以上のアクリル板で構成したことを特徴とする、
請求項１に記載の紫外線除菌装置。
【請求項３】
前記紫外線ランプが照射する紫外線の波長は２５４ｎｍであることを特徴とする、
請求項１または請求項２に記載の紫外線除菌装置。
【請求項４】
前記除菌対象物は、専用のかご用カートに積み重ねて載置された買い物かごであることを特徴とする、
請求項１ないし請求項３に記載の紫外線除菌装置。
【請求項５】
積み重ねて載置された前記各買い物かごと前記各紫外線ランプの最大距離が、２３５ｍｍ以内となるよう、前記各紫外線ランプが配置されたことを特徴とする、
請求項４に記載の紫外線除菌装置。
【請求項６】
前記入口扉は５０個の前記かご用カートに積み重ねて載置された買い物かごが搬入・搬出できる大きさを持ち、前記直方体状の筐体は前記かご用カートに積み重ねて載置された買い物かごを収容できる大きさを持ち、前記かご用カートに積み重ねて載置された買い物かごが３０秒で一括除菌できるよう構成されたことを特徴とする、
請求項５に記載の紫外線除菌装置。
【考案の詳細な説明】
【技術分野】
【０００１】
本考案は収容した除菌対象物に紫外線ランプを照射して除菌する装置に関する考案であり、特に買い物かごの除菌に適した装置に関する考案である。
【背景技術】
【０００２】
近年各種ウイルスの感染防止の目的で、不特定多数が触れる機会のある物品に対する除菌ニーズが高まっており、特にスーパーマーケットなどで使用される買い物かごについては人の手が多く触れるため除菌のニーズが高い。買い物かごの除菌はこれまで人の作業に頼ってアルコールなどによる除菌が行われていた。特に新型コロナウイルス感染症（ＣＯＶＩＤ−１９）の感染者が増加し感染防止策の強化が求められてきた現在においては、徹底した除菌作業を行うため店舗によっては専従の担当者をつけてこの作業を行わせる必要があり、事業者にとっての大きな負担となっている。
【０００３】
このような背景から実用新案登録第３２３０５９４号では買い物かごの殺菌に適したマルチ殺菌装置が提案されている。前記マルチ殺菌装置１０１においては、図５に示すように上面壁１２１と側面壁１２２と開口部１２３とを有する筒状壁２と、搬入口１２２Ｅと、照射部１０３と、筒状壁１０２の下端よりも下方に取り付けられる脚部１０４と、脚部１０４が接地する接地面と筒状壁１０２の下端との隙間を利用して殺菌空間内へ気体の出入りを可能にする通気口１０５と、を備える。開口部１２３から積み重ねた買い物かごを装置内に搬入し、照射部１０３から紫外線等の殺菌光を所定の時間照射して殺菌を行うというものである。
【０００４】
しかし図５に示すように照射部１０３は買い物かごの取手の部分に面した装置の側面にしか配置されておらず、殺菌光の直進性を考慮すると照射部３に面しないかごの裏面等には殺菌光が直接照射されず他の部位からの反射に頼らざるを得ないため、すべての部位を十分に殺菌しようとするためには照射時間を長く設定する必要があると思われる。
【０００５】
また株式会社ニューネクストが開発した除菌装置であるジョキンザウルスが、京都のスーパーマーケットに納入され活用され始めたという情報が令和２年９月終わりに複数のメディアに紹介されている。（２０２０年１０月１日付け京都新聞記事「買い物かご「自動除菌」  近畿圏のスーパーに設置へ」リンク：https://www.kyoto-np.co.jp/articles/-/367886）
【０００６】
それらの情報によればジョキンザウルスは積み重ねた６０個の買い物かごを台車ごと装置内に収納し、自動でかごを１つずつ持ち上げ、紫外線ランプで紫外線を照射し、かご１個１２秒、６０個全部を１２分で除菌完了する。これによりお客様に安心安全を、従業員の皆様にも大量の買い物かごの除菌作業の省力化を実現すると紹介されている。
【０００７】
かごが重なりあっている場合、周辺から紫外線照射しても他のかごの陰になった部分には紫外線が届かず完全な除菌が期待できない可能性があるが、ジョキンザウルスこの課題を解決するためかごを１つずつ持ち上げ除菌することで９９．９７％の高い除菌率を実現しているとしている。
【０００８】
しかし事業者によってはもっと短時間で除菌処理を行いたいというニーズがある。かごを１つずつ持ち上げ除菌するシステムでは完全な除菌が期待できるものの、除菌処理スピードという面では限界がある。また自動でかごを１つずつ持ち上げるためには紫外線ランプ以外にかごを持ち上げる装置が必要になり、装置のコストがアップするという問題がある。
【先行技術文献】
【特許文献】
【０００９】
【特許文献１】実用新案登録第３２３０５９４号
【考案の概要】
【考案が解決しようとする課題】
【００１０】
本考案は、かかる点に鑑みてなされたもので、その主な目的は収容した除菌対象物を短時間のうちに確実に除菌でき、かつ比較的安価な紫外線除菌装置を提供することにある。
【課題を解決するための手段】
【００１１】
請求項１に係る考案は、除菌対象物を直方体状の筐体内に収納し、同筐体内に設置した紫外線ランプによって紫外線を照射して同除菌対象物を除菌する紫外線除菌装置であって、前記筐体の側面の一面に前記除菌対象物を搬入・搬出するための入口扉を設置し、前記入口扉を含んだ側面４面の内面すべてに各々１個以上の紫外線ランプを垂直設置したことを特徴とする。
【００１２】
この請求項１の構成である、入口扉を含んだ内側面４面すべてに各々１個以上の紫外線ランプを垂直配置したことにより、除菌対象物に対し４方向から紫外線が均等に照射され除菌対象物全体の確実な殺菌が短時間に行われる。
【００１３】
請求項２に係る考案は、請求項１に係る考案の構成に加え、前記直方体状の筐体は骨格を金属のフレームで構成し、側面４面を厚さ３ｍｍ以上のアクリル板で構成したことを特徴とする。
【００１４】
請求項２の構成によれば、安価な汎用の金属フレームを用いて外郭フレームを構成できるので低コストで装置を構成できる。またアクリル板には紫外線透過を防止する性質があるので、側面をアクリル板で構成することにより、人体に有害な紫外線が装置の外に透過するのを防ぐとともに、買い物かごが紫外線により除菌される様子を外部から目視できるようにすることで確実な除菌を可能にし、買い物客への宣伝効果も期待できる。
【００１５】
請求項３に係る考案は、請求項１または請求項２に係る考案の構成に加え、前記紫外線ランプが照射する紫外線の波長は２５４ｎｍであることを特徴とする。
【００１６】
請求項３の構成によれば、２５４ｎｍの波長の紫外線は、たとえば低圧水銀ランプにより簡単に発生することができ、かつ最も殺菌効果が高い波長の紫外線であるので、簡単に殺菌効果の高い装置を構成することができる。
【００１７】
請求項４に係る考案は、請求項１ないし請求項３の構成に加え、前記除菌対象物は、専用のかご用カートに積み重ねて載置された買い物かごであることを特徴とする。
【００１８】
請求項４の構成によれば買い物かごの除菌作業を人の手作業に頼ることなく、買い物かごを除菌装置に搬入し紫外線ランプを所定の時間照射するだけで、効率的に行うことができる。
【００１９】
請求項５に係る考案は、請求項４の構成に加え、積み重ねて載置された前記各買い物かごと前記各紫外線ランプの最大距離が、２３５ｍｍ以内となるよう、前記各紫外線ランプが配置されたことを特徴とする。
【００２０】
請求項５の構成によれば、紫外線ランプからかごの各部分までの最大距離が２３５ｍｍ以内で十分な殺菌能力が確保できる範囲内に収まっているので、各部分の除菌を十分に行うことができる。
【００２１】
請求項６に係る考案は、請求項５の構成に加え、前記入口扉は５０個の前記かご用カートに積み重ねて載置された買い物かごが搬入・搬出できる大きさを持ち、前記直方体状の筐体は前記かご用カートに積み重ねて載置された買い物かごを収容できる大きさを持ち、前記かご用カートに積み重ねて載置された買い物かごが３０秒で一括除菌できるよう構成されたことを特徴とする。
【００２２】
請求項６の構成によれば、５０個の買い物かごを３０秒で一括除菌することができ、除菌作業の効率が著しく向上する。
【考案の効果】
【００２３】
本考案によれば、収容した除菌対象物を効率よく短時間のうちに確実に除菌でき、かつ比較的安価な紫外線除菌装置を提供することができる。
【図面の簡単な説明】
【００２４】
【図１】本考案の一実施形態における除菌装置の外観図である。
【図２】本考案の一実施形態における除菌装置の水平断面図である。
【図３】本考案の一実施形態における除菌装置の垂直断面図である。
【図４】本考案の一実施形態における除菌装置の入口扉を開いた状態の外観図である。
【図５】実用新案登録第３２３０５９４号の殺菌装置の図面である。
【符号の説明】
【００２５】
１  除菌装置
２  フレーム
３  側面
４  制御部
５  表示灯
６  入口扉
７  入口ハンドル
８  筐体
９  キャスター
１０  操作部
２０  紫外線ランプ
２１  反射板
２２  支持ブラケット
２３  保護ブラケット
５０  買い物かご
５１  かご用カート
【考案を実施するための形態】
【００２６】
以下、本考案の実施形態を図面に基づいて詳細に説明する。なお、本考案は、以下の実施形態に限定されるものではない。また、本考案の効果を奏する範囲を逸脱しない範囲で、適宜変更は可能である。
【００２７】
（除菌装置の構成）
本実施形態に係る除菌装置１は図１に示すように直方体状の筐体８の外観を有している。一方の側面は除菌対象物、本実施形態では買い物かごを搬入するための入口扉６が設けられている。入口扉６は専用のキャスター付きかご用カート５１に載せた状態の買い物かごが最大で５０段積み重ねて搬入できるのに十分な大きさが確保されている。また筐体８の内部空間も同様にカートに載せた５０段の買い物かごを収容するのに十分な大きさが確保されている。
【００２８】
筐体１の外郭は安価に入手可能な汎用のアルミフレームを用いたフレーム２で構成し、入口扉６を含めた４側面には厚さ３ｍｍのアクリル板が用いられている。アクリル板には紫外線透過を防止する性質があり、３ｍｍのアクリル板では波長３５０ｎｍ以下の紫外線はほとんど透過しないとされている。
【００２９】
よって４側面にアクリル板を用いることにより、人間の目や皮膚に障害を与えるとされている人体に有害な紫外線が装置の外に透過するのを防ぐとともに、買い物かごが紫外線により除菌される様子を外部から目視できるようにすることで確実な除菌を可能にする。また除菌を徹底している姿勢が周囲からも把握でき、買い物客への宣伝効果も期待できる。
【００３０】
また筐体１の下部には移動の便宜のためキャスター９が設けられている。
【００３１】
筐体の内部には入口扉６の内側面を含めた４内側面すべてに、紫外線ランプ２０が設けられている。支持ブラケット２２を介して紫外線ランプ２０はフレーム２に固定される。また支持ブラケット２２の内部には安定器（図示せず）などの紫外線ランプ２０の作動に必要な機器が備えられている。
【００３２】
紫外線ランプ２０は、かごの長手方向の内側面（全面と背面）に各２本、かごの短手方向の内側面（左右側面）各１本、各々垂直方向に配設されている。全面と背面を含めた４方の内側面に紫外線ランプ２０を設けたことにより、買い物かごの４方から紫外線を照射することができ、完全で効率的な除菌が行われる。
【００３３】
また各紫外線ランプ２０のフレーム側には反射板２１が設けられている。反射板２１により紫外線の筐体１外部への照射を抑制すると共に、反射光により除菌対象物の方向へ効率的に紫外線を照射することが可能となっている。
【００３４】
またすべての紫外線ランプ２０の買い物かご側には防護ブラケット２３が設けられている。買い物かごがぶつかって、紫外線ランプ２０が損傷するのを防止する機能をもつ。
【００３５】
各紫外線ランプ２０の電源は筐体８上部の制御部４に設けられた電源部（図示せず）より供給される。また制御装置（図示せず）も制御部４内に設けられており、予め制御装置にセットされた制御ロジックと操作部１０からオペレーターにより入力された入力信号に従って紫外線ランプ２０の電源のОＮ・ОＦＦ作動が行われる。
【００３６】
入口ハンドル７と操作部１０が入口扉６の中央部に設けられている。まず入口ハンドル
７は入口扉６の開閉とロックに用いられる。また操作部１０には左側に２つのキー差込口が設けられており右側に押しボタンが設けられている。左側のキー差込口は除菌装置１を起動する際に用い、オペレーターがキーを差し込んで回転させることにより除菌装置１を起動させる。真ん中のキー差込口は紫外線ランプ２０をＯＮにする際に用い、オペレーターがキーを差し込んで回転させ、右側の押しボタンを押すことにより紫外線ランプ２０をＯＮにする。除菌装置１を起動、紫外線ランプ２０をＯＮにするため別々にキーを用いるのは、オペレーター以外の第三者が不用意に除菌装置１を起動し、紫外線ランプ２０をＯＮさせることを防止するためである。
【００３７】
また表示灯５には、除菌装置１の起動状態、紫外線ランプ２０のОＮ・ОＦＦ作動状態が外部から視認できるように表示される。
【００３８】
（除菌装置の作動）
まずオペレーターは操作部１０の左側のキー差込口にキーを差し込んで回転させ、装置を起動・暖機しておく。実際に除菌を行う際には、まず入口ハンドル７で入口扉６を開けて最大５０個積み重ねた買い物かごを、専用のキャスター付きかご用カート５１に載せて除菌装置１に搬入する。所定の位置へかご用カート５１をセットした後入口扉６を閉め、入口ハンドル７をロック位置へ回転させる。入口ハンドル７をロック位置へ回転させ、かご用カート５１が所定の位置まで押し込まれていることがセンサー（図示せず）で確認されると、紫外線ランプ２０が点灯可能な状態になる。人体に有害な紫外線が入口扉が開いた状態で照射される事故を防止するためである。
【００３９】
次に右側のキー差込口にキーを差し込んで回転させ、キー差込口右側の押しボタンを押すことにより紫外線ランプ２０がＯＮになる。押しボタンにより紫外線ランプ２０をＯＮにすると予め制御装置にセットされた時間だけ紫外線ランプ２０が点灯する。初期設定では点灯時間は３０秒に設定されている。また紫外線ランプ２０をＯＮと同時に表示灯５が点灯する。
【００４０】
波長２５４ｎｍの紫外線は細菌のＤＮＡに吸収されやすいとされており、細菌のＤＮＡに作用して、水和現象、分解などの光化学反応をひき起こし不活性化することが知られている。この効果は近年流行している新型コロナウイルス感染症（ＣＯＶＩＤ−１９）にも有効と言われている。
【００４１】
文献等から新型コロナウイルスを９９．９％不活性化させるために必要な紫外線の積算照射量を設定し、その設定した積算照射量を満足するための紫外線ランプ２０に関連する諸元を決定した。すなわち紫外線ランプ２０の仕様を決定し、次いで買い物かご５０との最大距離として２３５ｍｍ、紫外線ランプ２０の照射時間として３０秒を設定した。
【００４２】
波長２５４ｎｍの紫外線を効率よく放射する紫外線ランプとして低圧水銀ランプが一般的に用いられており、本実施形態においても低圧水銀ランプを用いている。具体的な紫外線ランプ２０の仕様としては、東芝ライテック株式会社製の品番ＧＬ１５の殺菌灯を用いている。
【００４３】
紫外線ランプ２０は内側面４面に合計６個垂直に配置されており、積み重ねられた買い物かごは４方向から紫外線を照射される。また紫外線ランプ２０の背面には反射板２１が配置されており、これらの構成により極めて効率よく買い物かご全体に紫外線を照射し、短時間で除菌を行うことができるよう構成されている。
【００４４】
紫外線照射時間３０秒が経過すると紫外線ランプ２０がＯＦＦとなり、表示灯５が消灯し、入口ハンドル７のロックが解除され、入口扉６を開けて買い物かごが搬出可能な状態になる。
【図１】
0003232759.tif 000003
【図２】
0003232759.tif 000004
【図３】
0003232759.tif 000005
【図４】
0003232759.tif 000006
【図５】
0003232759.tif 000007